【誤訳訂正書】
【提出日】平成24年4月24日(2012.4.24)
【誤訳訂正１】
【訂正対象書類名】明細書
【訂正対象項目名】全文
【訂正方法】変更
【訂正の内容】
【発明の詳細な説明】
【発明の名称】三次元コンプレックスコイル
【技術分野】
【０００１】
（関連出願の相互参照）
本願は、Ｍｏｎｅｔｔｉ他による２００５年１１月１７日に出願された、「Ｔｈｒｅｅ
Ｄｉｍｅｎｓｉｏｎａｌ  Ｃｏｍｐｌｅｘ  Ｃｏｉｌ」という名称の米国仮特許出願第６０／７３８，０８７号、およびＭｏｎｅｔｔｉ他による２００６年８月１７日に出願された、「Ｔｈｒｅｅ  Ｄｉｍｅｎｓｉｏｎａｌ  Ｃｏｍｐｌｅｘ  Ｃｏｉｌ」という名称の米国仮特許出願第６０／８２２，６５６号からの優先権を主張し、上記出願はそれらの全体が本明細書において参考により援用される。
【背景技術】
【０００２】
（発明の背景）
先行技術は、時に「コンプレックス」コイルと呼ばれる三次元（３−Ｄ）形状のコイルを用いる体の動脈瘤を処置するための多くの方法およびデバイスを企図する。例えば、参考により援用される特許文献１（Ｈｏｒｔｏｎ）は中空の構造を示す。参考により援用される特許文献２（Ｐｈｅｌｐｓ）および特許文献３（Ｒｉｔｃｈａｒｔ）は他の３−Ｄコイルの設計を示す。参考により援用される特許文献４（Ｔｅｏｈ）は、一連の重なりのないループを教示する。参考により援用される特許文献５（Ｗａｌｌａｃｅ）はコンプレックスコイルを示す。参考により援用される特許文献６（Ｆｅｒｒｅｒａ）は、Ｊ形状の近位区画がデバイスのコンプレックス部分から離れるように延びることを除いて、ＴｅｏｈおよびＷａｌｌａｃｅのデバイスと類似しているデバイスを示す。
【０００３】
以下の特許はさらなる背景を提供し、これらもまた参考により援用される：特許文献７（Ｇｕｇｌｉｅｌｍｉ）；特許文献８（Ｇａｎｄｈｉ）；特許文献９（Ｓｃｈａｅｆｅｒ）；特許文献１０（Ｍａｒｉａｎｔ）；特許文献１１（Ｐｈａｍ）；特許文献１２（Ｌａｈｉｌｌｅ）；特許文献１３（Ｐｏｒｔｅｒ）；特許文献１４（Ｗａｌｌａｃｅ）
しかしながら、動脈瘤のより良い処置を提供するための、より発展し、改善されたコンプレックスコイルを提供するという継続した必要性がある。
【特許文献１】米国特許第５，７６６，２１９号明細書
【特許文献２】米国特許第５，３８２，２５９号明細書
【特許文献３】米国特許第４，９９４，０６９号明細書
【特許文献４】米国特許第６，６３５，０６９号明細書
【特許文献５】米国特許第６，８６０，８９３号明細書
【特許文献６】米国特許第６，６３８，２９１号明細書
【特許文献７】米国特許第６，０１０，４９８号明細書
【特許文献８】米国特許第６，４７８，７７３号明細書
【特許文献９】米国特許出願公開第２００２／０１０７５３４号明細書
【特許文献１０】米国特許第５，９５７，９４８号明細書
【特許文献１１】米国特許第５，９１１，７３１号明細書
【特許文献１２】米国特許第４，９５７，５０１号明細書
【特許文献１３】米国特許出願公開第２００５／０１９２６１８号明細書
【特許文献１４】米国特許出願公開第２００５／０１９２６２１号明細書
【発明の開示】
【発明が解決しようとする課題】
【０００４】
（発明の目的および概要）
それゆえ本発明の目的は、先行技術に関して動脈瘤を処置するための改善されたデバイスおよび方法を提供することである。
【課題を解決するための手段】
【０００５】
この目的および本明細書に具体的には列挙されない他の目的が本発明によって扱われ、これらの少なくとも一つの実施形態は、デバイスの全長の一部はトロイドの中心に一致するかまたは重なるように固定具の周りに巻きつけられたトロイド形状のデバイスを含む。このことは該デバイスの外側部分が足場を形成しつつ、デバイスの内側部分が閉塞を提供し、血液の流入を防ぎ、かつ血栓の形成を促進することを可能にする。
【０００６】
一実施形態は、トロイド形状の一連のループを自己形成し、体腔内に安定した構造を提供するように設計される材料のストランドを含み、これにより該腔の閉塞を可能にし、さらなる処置デバイスを保持するための枠組みとして役立つ。
【０００７】
本発明の別の実施形態は、十字形の一連のループを自己形成し、体腔内に安定した構造を提供するように設計される材料のストランドを提供し、これにより該腔の閉塞を可能にし、さらなる処置デバイスを保持するための枠組みとして役立つ。
【０００８】
別の局面において、本発明は、本発明の上述の実施形態を構成する製造するツールおよび方法を含む。
【０００９】
本発明のさらに別の局面において、実施形態は、固定具の周りに巻きつけられた十字形のデバイスを含み、該デバイスは少なくとも１つの追加のピンに対しある角度で配置される少なくとも２つの平行ピンを備えている。この構成は、デバイスの外側部分が足場を形成しつつ、デバイスの内側部分が閉塞を提供し、血液の流入を防ぎ、かつ血栓の形成を促進することを可能にする。この実施形態はまた、配置の間に回転することまたは倒れることを有利に防ぐ。
【発明を実施するための最良の形態】
【００１０】
（トロイド三次元コイル）
ここで図面を参照し、まず図１〜図６を参照して、トロイド形状の固定具１２を用いて形作られるコイルまたはコンプレックスコイル１０が記載される。コイル１０は、図１において固定具１２の周りに４回巻きつけられており、その結果４つのループ１４が形成され、各ループは隣のループから約９０度離れて配置される。固定具１２の周りにコイル１０を巻きつけることで、血管または動脈瘤などの体腔に配置されたときに、コイル１０に複雑な形状を形成させる。デバイスは細長いコイルワイヤを形成するためにらせん状に巻かれた１本のワイヤから構成され得る。あるいは、ワイヤは当該分野で公知の方法によって編み組みされるか、または編まれて、二次形状を形成し得る。このワイヤは、好ましくは形状記憶金属（例えば、Ｎｉｔｉｎｏｌ）であり得るが、白金、タンタル、タングステン、ステンレス鋼または他の生体適合性材料であり得る。他の材料（例えば、ＤａｃｒｏｎもしくはＮｙｌｏｎ繊維、ポリ乳酸もしくはポリグリコール酸などの生物分解性ポリマーおよび膨張可能もしくは膨張不可能なヒドロゲル材料）は、コイルまたは編み組みされた構造の内側または外側に配置され、デバイスの性能を改良し得る。
【００１１】
説明の目的のみのために、コイル状のワイヤをトロイド形状の固定具１２に対して巻きつけることから生じるコンプレックスコイル１０の形状に関して観察がなされ得る。図２に示されるように、ループ１４ａ〜ｄの各々は、それぞれの平面１６ａ〜ｄ内にほぼ含まれる。これらの平面は、コンプレックスコイル１０の中心近くでほぼ共通の交差軸１８において互いに交差する。当業者が認識するように、トロイド固定具１２の周りに形成された任意のループは、このような平面内におおよそでのみ含まれ、これらの平面内に含まれるループの角度は、ループがどのようにトロイドの周りに巻かれるかの関数に過ぎず、これらのループの性能にたいしてわずかな影響しか有さないか、または全く影響を有さない。
【００１２】
図３および図４に示されるように、任意の数のループが本発明のコンプレックスコイルを形成することに用いられ得る。図３において、コンプレックスコイル２０は８つのループ２２をトロイド形状の固定具１２の周りに巻きつけることによって形成される。ループ２２は、トロイド１２の周りに比較的均等に間隔を空けられているが、任意の数の構成に間隔を空けられ得る。この結果は図４に示される８つのループのコンプレックスコイル２０である。
【００１３】
図５および図６は、１６個のループ３２を用いた、トロイド固定具１２の周りに形成されるコンプレックスコイル３０を示す。ループ３２は、８個の個別のループのみが見えるように２個ずつの組でグループ分けされる。
【００１４】
脳動脈瘤などの病気を処置するために用いられる一つの例は、約０．１２５ｍｍから約０．６２５ｍｍの範囲の直径と、約５ｍｍから約１０００ｍｍの長さを有する白金／タングステン合金コンプレックスコイル（９２％Ｐｔ、８％Ｗ、Ｓｉｇｍｕｎｄ  Ｃｏｈｎ  Ｍｏｕｎｔ  Ｖｅｒｎｏｎ，ＮＹから入手可能）を含む。コンプレックスコイルは、図１、図３、図５および図６に示される固定具１２に類似するセラミックまたは金属製のトロイド形状固定具の周りに形成される。図１〜図６に示される巻きつけのパターンはトロイド１２の周りに第一のループ１４ａを形成し、次いでこのトロイドの周りに第一のループから約１８０°になるように第二のループ１４ｂを形成する。この例において、数字の８のパターンは、第一のループおよび第二のループを巻きつけるために用いられる。第三のループ１４ｃが、次いでトロイドの中心の周りに、第二のループからある角度（典型的には５°から１７５°）で形成される。第四のループ１４ｄは、第三のループ１４ｃから数字の８のパターンを用いて形成される。さらなるループ１４は所望されるデバイスのサイズに依存して加えられ得る。
【００１５】
当業者は、トロイドコンプレックスコイルの構成に対する利点の一つは、それがループの数を変えることによって処置部位のサイズに寸法を合わせ得ることであることを認識する。例えば、非常に小さい（０．５〜３ｍｍ）の病巣は、２〜４のループ構成によって処置され得、中程度のサイズ（４〜１０ｍｍ）の病巣は、４〜１２のループ構成によって処置され得、大きい（１０ｍｍを超える）病巣は８〜３６のループ構成によって処置され得る、などである。ループは、例えば、「Ｏ」形状（例えば、円形、卵形、正方形、楕円形、星形など）の閉じた構造を形成し得るか、または「Ｃ」形状もしくは「Ｕ」形状のように開いた構成であり得る。ループは任意の寸法であり得、典型的には処置部位のおおよそのサイズに合わせられる。先の例において、ループは直径０．５ｍｍから直径５０ｍｍの範囲であり得る。この点に関して、「直径」は円形の寸法を意味するように狭く解釈されるべきではない。むしろ、「直径」はループの大体のサイズおよび形状を含むように広く用いられる。
【００１６】
巻きつけの後、固定具およびコンプレックスコイルは、当該分野で公知の方法によって熱硬化される（ｈｅａｔ−ｓｅｔ）。例えば、白金のコンプレックスコイルに対する典型的なアニーリングステップは、約１１００°Ｆで５〜４０分間である。
【００１７】
アニーリングされると、コンプレックスコイルは、実質的に強制されていないときまたはその最小のエネルギー状態において巻かれた形状をほぼ保持する。コンプレックスコイルは、次いで、さらなる処理、例えば先端を形成する処理、送達システムに取付けるためのカップリング機構を加える処理、コンプレックスコイル上もしくはコンプレックスコイル内にヒドロゲルもしくは繊維を配置する処理、コンプレックスコイルの内側もしくは外側に伸縮耐性部材を配置する処理などに供され得る。コンプレックスコイルは、次いで、当該分野で周知の送達システムに取り付けられ得る。上記送達システムは、例えば、米国特許出願第１１／２１２，８３０号、名称「Ｔｈｅｒｍａｌ  Ｄｅｔａｃｈｍｅｎｔ  Ｓｙｓｔｅｍ  ｆｏｒ  Ｉｍｐｌａｎｔａｂｌｅ  Ｄｅｖｉｃｅｓ」に開示されるシステムであり、該出願は本明細書において参考により援用される。他の送達システムの例は、Ｇｕｇｌｉｅｌｍｉの６，０１０，４９８号またはＧａｎｄｈｉの６，４７８，７７３号に開示される。送達プッシャに取り付けられると、コンプレックスコイルは、処置部位への送達のために、管内で実質的に線形の構成で配置される。
【００１８】
典型的な手順において、線形のコンプレックスコイルは、送達プッシャを用いて導管（例えば、マイクロカテーテル）を介してコイルを前進させることにより、該導管を介して送られる。マイクロカテーテルから出ると、コンプレックスコイルは、処置部位内で、そのアニーリングされた形状に近似する構造を自己形成する。
【００１９】
インプラントを作製するために用いられる固定具１２は、閉じた円形トロイドとして示される。しかしながら、他の円形でない形状、例えば、楕円形、正方形および星形形状のパターンが使用され得る。加えて、トロイドは閉じた構成である必要はない。実際、間隙が構造内に残っており、その結果重さをかけることにより張力がコンプレックスコイル上に保持され得る場合には巻きつけることがより容易であり得る。
【００２０】
（十字形の三次元コイル）
ここで図７〜図１２を参照すると、固定具４２を用いるコンプレックスコイル４０の製造が示され、該取付け具４２は互いに垂直な角度で配置された複数のピン４４を含む。図１〜図６に示される実施形態と同様に、図７〜図１２における固定具４２を用いて形成されるコンプレックスコイル４０の実施形態は、コイル状のワイヤを形成するようにらせん状に巻かれている１本のワイヤから作製され得る。あるいは、該ワイヤは当該分野で公知の方法によって編み組みされたり、編み込まれたりされて、二次形状を形成し得る。ワイヤは白金、タンタル、タングステン、ステンレス鋼、Ｎｉｔｉｎｏｌまたは他の生体適合性材料であり得る。他の材料（例えば、ＤａｃｒｏｎもしくはＮｙｌｏｎ繊維、ポリ乳酸もしくはポリグリコール酸などの生物分解性ポリマーおよび膨張可能もしくは膨張不可能なヒドロゲル材料）は、コンプレックスコイルまたは編み組みされた構造の内側または外側に配置され、デバイスの性能を改良し得る。例示のみとして、一つの実施形態は、脳動脈瘤などの病気を処置するために用いられ得、約０．１２５ｍｍから約０．６２５ｍｍの範囲の直径と、約５ｍｍから約１０００ｍｍの長さを有する白金／タングステン合金コンプレックスコイル１０（９２％Ｐｔ、８％Ｗ、Ｓｉｇｍｕｎｄ  Ｃｏｈｎ  Ｍｏｕｎｔ  Ｖｅｒｎｏｎ，ＮＹから入手可能）を用いる。
【００２１】
コンプレックスコイル４０は、図７〜図１２に示されるように、コイル状ワイヤを固定具４２の周りに巻きつけることにより形成される。固定具４２は、好ましくはセラミックまたは金属製の十字形固定具であり、軸ｘ、ｙおよびｚに沿って互いに直角に配置された複数のピン４４を含む。より具体的には、固定具４２は、ｘ軸に平行な２つのピン４４ｘ、ｙ軸に平行な２つのピン４４ｙ、ｚ軸に平行な２つのピン４４ｚを含む。
【００２２】
図７〜図８の固定具４２を用いて作製され得るコンプレックスコイル４０の例が図９〜図１２に示される。この実施形態における巻きつけパターンは、図１１〜図１２に最も明確に示され、第一のピン４４ｙ１の周りに第一のループ４６ａを形成し、その後、第一のピン４４ｙ１に対しある角度で配置される第二のピン４４ｘ１の周りに第二のループ４６ｂを形成する。この実施形態において、ループ４６ａと４６ｂとの間の角度は約４５°〜１３５°である。次いで、第三のループ４６ｃが、第二のループ４６ｂとほぼ同一平面に形成される。この例において、第三のループ４６ｃは、第二のループ４６ｂと共に数字の８のパターンにおけるピン４４ｘ２の周りに形成される。次いで第四のループ４６ｄが第三のループ４６ｃに対しある角度で形成される。この例において、第四のループ４６ｄは、第三のループに対し約４５°〜１３５°であり、ピン４４ｙ２の周りに形成され、さらに第一のループ４６ａとほぼ同一平面にある。次いで第五のループ４６ｅが、ピン４４ｘ１の周りに、同様にピン４４ｘ１の周りに形成されるループ４６ｂと間隔を空けてワイヤを巻きつけることにより、第四のループ４６ｄに対してある角度で形成される。第六のループ４６ｆは、第五のループ４６ｅと共に数字の８のパターンにおける第五のループ４６ｅとほぼ同一平面に位置する。第六のループ４６ｆは、ピン４４ｘ２の周りに、同様にピン４４ｘ２の周りに形成されるループ４６ｃと間隔を空けてワイヤを巻きつけることによって形成される。この例において、第五のループ４６ｅと第六のループ４６ｆとは、それぞれ第二のループ４６ｂと第三のループ４６ｃと、ほぼ同一中心である。
【００２３】
６より少ないループがより短いコンプレックスコイルを形成するために用いられ得、一方でさらなるループがより長いデバイスを構成するために巻きつけられ得る。例えば、図７〜図８に示されるピン４４ｚは、ピン４４ｘおよびピン４４ｙを通って延び、結果としてピン４４ｘおよびピン４４ｙを適切な位置に保持するために用いられる。しかし、より長いデバイスが望まれる場合、ループは、ワイヤをピン４４ｙから延びるピン４４ｚの一部に巻きつけることにより形成され得る。
【００２４】
さらに当業者は、同一の最終的な結果が、直前に記載される巻きつけパターンを逆転させること：すなわち第一のピンの周りに第一のループを巻きつけ、第一のループとほぼ同一の平面に第二のループを巻きつけ、第二のループに対しある角度で第三のループを巻きつけ、第三のループに対しある角度で第四のループを巻きつけ、第四のループとほぼ同一の平面に第五のループを巻きつけ、第五のループに対しある角度で第六のループを巻きつける、などにより、得られ得ることを理解する。
【００２５】
ループは「Ｏ」形状（例えば、円形、卵形、正方形、楕円形、星形など）のような閉じた構造であり得るか、または「Ｃ」もしくは「Ｕ」形状のような開いた構造であり得る。ループは任意の寸法であり得、典型的には処置部位のおおよそのサイズに寸法を合わせられる。先の例において、ループは直径０．５ｍｍから直径５０ｍｍの範囲であり得る。この点に関して、「直径」は円形の寸法を意味するように狭く解釈されるべきではない。むしろ、「直径」はループの大体のサイズおよび形状を含むように広く用いられる。
【００２６】
例えば、図１３に示されるコイル５０は、開いていたり閉じていたりするループ５２を有する。開いたループは、ピンの周りにワイヤを巻きつけるが、重なるループを完成させる前に隣のピンに移行させることにより、形成される。より具体的には、図１３のコンプレックスコイル５０は、図７および図８の固定具４２を用いて形成された６個のループ５２ａ〜ｆを有する。ループ５２ａは、ピン４４ｙのうちの一つの周りに形成される完全なループである。次いでワイヤは、数字の８のパターンで、２つの隣り合うピン４４ｘの周りに巻きつけられ、開いたループ５２ｂおよび５２ｃを形成する。次にワイヤはもう一方のｙピン４４ｙの周りに完全に巻きつけられ、完全なループ５２ｄを形成する。次に、ワイヤは数字の８のパターンでピン４４ｘの反対側の２つのピン４４ｙの周りに巻きつけられ、ループ５２ｅおよび５２ｆを形成する。ループ５２ｅは開いているが、ループ５２ｆは閉じており、最後のループである。
【００２７】
さらなる複雑性が図１４〜図１５に示される固定具６０を用いて導入され得る。図１４〜図１５に示される固定具６０はまた、複数のピン６２を有するが、図７および図８の固定具４２とは３つの独立な方法において異なる。第一に、ピン６２はｘ軸およびｙ軸に平行な方向に延びるが、ｚ軸に平行に延びるピンはない。むしろ、長方形のブロック６４がｚ軸に沿って延びる。第二に、ｘ軸に平行に延びる二つの同一中心のピン６２ｘ１および６２ｘ２のみがある。第三に、四つのピン６２ｙ１〜４があり、各々は独立の長手方向軸を有する。固定具６０を用いて巻きつけることは、図１６〜図１９に示されるようなコンプレックスコイル７０をもたらす。これらの図は、第一のループ７４ａおよび第二のループ７４ｂ（これらのループは実質的に同一平面にあり、数字の８のパターンで配置される）、ならびに第三のループ７４ｃおよび第四のループ７４ｄを有する（これらのループは実質的に同一平面にあり、第一のループ７４ａおよび第二のループ７４ｂの数字の８のパターンから回転された、数字の８のパターンで配置される）を有するコンプレックスコイル７０を示す。図１６〜図１９に示される例は、互いに関して９０度回転された二つの数字の８のパターンを示す。さらに、コンプレックスコイル７０は、第五のループ７４ｅおよび第六のループ７４ｆを含み、これらは比較的同一中心である。
【００２８】
巻きつけの後、固定具およびコンプレックスコイルは、当該分野で公知の方法によって熱硬化される。例えば、白金のコンプレックスコイルに対する典型的なアニーリングステップは、約１１００°Ｆで約５〜６０分間である。
【００２９】
アニーリングされると、コンプレックスコイルは、実質的に最小のエネルギー状態にあるときに巻きつけられた形状をほぼ保持する。次いで、コンプレックスコイルは、先端を形成する処理、送達システムに取付けるためのカップリング機構を加える処理、コンプレックスコイル上もしくはコンプレックスコイル内にヒドロゲルもしくは繊維を配置する処理、コンプレックスコイルの内側もしくは外側に伸縮耐性部材を配置する処理などの、さらなる処理に供され得る。コンプレックスコイルは、次いで、当該分野で周知の送達システムに取り付けられ得る。上記送達システムは、例えば、米国特許出願第１１／２１２，８３０号、名称「Ｔｈｅｒｍａｌ  Ｄｅｔａｃｈｍｅｎｔ  Ｓｙｓｔｅｍ  ｆｏｒ  Ｉｍｐｌａｎｔａｂｌｅ  Ｄｅｖｉｃｅｓ」に開示されるシステムであり、該出願は本明細書において参考により援用される。他の送達システムの例は、Ｇｕｇｌｉｅｌｍｉの６，０１０，４９８号またはＧａｎｄｈｉの６，４７８，７７３号に開示される。送達プッシャに取り付けられると、コンプレックスコイル１０は、処置部位への送達のために、管内で実質的に線形の構成で配置される。
【００３０】
典型的な手順において、線形のコンプレックスコイルは、送達プッシャを用いて導管（例えば、マイクロカテーテル）を介してコイルを前進させることにより、該導管を介して送られる。マイクロカテーテルから出ると、コンプレックスコイルは、処置部位内で、そのアニーリングされた形状に近似する構造を自己形成する。
【００３１】
本発明は特定の実施形態および用途に関して記載されてきたが、当業者はこの教示を鑑みて、請求される本発明の精神から逸脱することまたはその範囲を越えることなしにさらなる実施形態および修正を生成し得る。従って、本明細書の図面および説明は本発明の理解を容易にするための例として提供され、本発明の範囲を限定するように解釈されるべきでないことが理解されるべきである。
【図面の簡単な説明】
【００３２】
【図１】図１は、本発明の固定具およびコンプレックスコイルの一実施形態の透視図である。
【図２】図２は、本発明のコンプレックスコイルの一実施形態の透視図である。
【図３】図３は、本発明の固定具およびコンプレックスコイルの一実施形態の透視図である。
【図４】図４は、本発明のコンプレックスコイルの透視図である。
【図５】図５〜図８は、本発明の様々な固定具の周りのコンプレックスコイルの写真である。
【図６】図５〜図８は、本発明の様々な固定具の周りのコンプレックスコイルの写真である。
【図７】図５〜図８は、本発明の様々な固定具の周りのコンプレックスコイルの写真である。
【図８】図５〜図８は、本発明の様々な固定具の周りのコンプレックスコイルの写真である。
【図９】図９〜図１０は、本発明の方法のうちの一つに従って形成されたコンプレックスコイルの写真である。
【図１０】図９〜図１０は、本発明の方法のうちの一つに従って形成されたコンプレックスコイルの写真である。
【図１１】図１１は、想像線で示される本発明の固定具の一実施形態の周りに形成される本発明のコンプレックスコイルの一実施形態の透視図である。
【図１２】図１２は、本発明のコンプレックスコイルの一実施形態の透視図である。
【図１３】図１３は、本発明のコンプレックスコイルの一実施形態の透視図である。
【図１４】図１３は、本発明の固定具の一実施形態の透視図である。
【図１５】図１５は、図１４に示される固定具の正面から見た立面図である。
【図１６】図１６〜図１９は、本発明に従う方法および固定具を用いて形成された幾つかのコンプレックスコイルの写真である。
【図１７】図１６〜図１９は、本発明に従う方法および固定具を用いて形成された幾つかのコンプレックスコイルの写真である。
【図１８】図１６〜図１９は、本発明に従う方法および固定具を用いて形成された幾つかのコンプレックスコイルの写真である。
【図１９】図１６〜図１９は、本発明に従う方法および固定具を用いて形成された幾つかのコンプレックスコイルの写真である。